(57)【要約】【課題】省電力であると共に作業手順への不便が少なく、簡便な構成で高い信頼性を実現できるソレノイドを用いるロック部品を提供する。【解決手段】本発明のソレノイドを用いるロック部品は、内部に貫通空間を有する筒状の筺体と、貫通空間の一部に抜き差し可能に収容されるプランジャーと、筺体の一部であって、プランジャーと部分的もしくは全体的に重複する領域に巻かれる導電性の巻き線と、プランジャーに直接もしくは間接に接続する接続部材と、接続部材の前後動作によって回転して、貫通空間での位置を変化・固定可能な回転部材と、回転部材の位置変化に合わせて、貫通空間から突出もしくは貫通空間への収容が可能な突出部材と、を備える。【選択図】図５
2016056531.tif 000002
【特許請求の範囲】
【請求項１】
内部に貫通空間を有する筒状の筺体と、
前記貫通空間の一部に抜き差し可能に収容されるプランジャーと、
前記筺体の一部であって、前記プランジャーと部分的もしくは全体的に重複する領域に巻かれる導電性の巻き線と、
前記プランジャーに直接もしくは間接に接続する接続部材と、
前記接続部材の前後動作によって回転して、前記貫通空間での位置を変化・固定可能な回転部材と、
前記回転部材の位置変化に合わせて、前記貫通空間から突出もしくは前記貫通空間への収容が可能な突出部材と、を備えるソレノイドを用いるロック部品。
【請求項２】
前記貫通空間は、第１端部と第２端部を有し、前記プランジャーは、前記第１端部側に収容され、前記突出部材は、前記第２端部側に収容される、請求項１記載のソレノイドを用いるロック部品。
【請求項３】
前記突出部材が前記貫通空間に収容されている状態（以下、「収容状態」という）で前記巻き線に電流が付与されると、前記巻き線が発生する磁界によって、前記プランジャーは、前記第１端部から前記第２端部に向けた第１方向移動を行う、請求項２記載のソレノイドを用いるロック部品。
【請求項４】
前記プランジャーの第１方向移動によって、前記接続部材は、前記回転部材を第２端部側に移動させた突出位置に固定し、
前記回転部材は、前記突出部材を、前記第２端部から外部に突出させる、請求項３記載のソレノイドを用いるロック部品。
【請求項５】
前記突出部材の外周に弾性体が設けられ、
前記弾性体は、前記回転部材の前記突出位置を固定する、請求項４記載のソレノイドを用いるロック部品。
【請求項６】
前記回転部材は、前記貫通空間の貫通方向に沿った複数の溝を有しており、
前記接続部材は、前記第１方向移動によって前記複数の溝のいずれかに嵌合されて、前記第１方向移動した前記接続部材は、前記回転部材を前記突出位置で固定する、請求項３から５のいずれか記載のソレノイドを用いるロック部品。
【請求項７】
前記突出部材が前記貫通空間から外部に突出している状態（以下、「突出状態」という）である場合に、前記巻き線に電流が付与されると、前記プランジャーは、前記第１方向移動に移動し、
前記プランジャーは、前記接続部材の、前記回転部材の溝からの嵌合を、解除する、請求項４から６のいずれか記載のソレノイドを用いるロック部品。
【請求項８】
前記接続部材が、前記回転部材の溝との嵌合を解除すると、前記回転部材は、前記突出位置から、突出していない初期位置に戻る、請求項７記載のソレノイドを用いるロック部品。
【請求項９】
前記回転部材が前記初期位置に戻ると、前記突出部材は、前記貫通空間に収容される、請求項８記載のソレノイドを用いるロック部品。
【請求項１０】
前記突出状態および前記収容状態である場合には、相互の状態変化を生じさせる以外においては、前記巻き線は、電流の付与を必要としない、請求項７から９のいずれか記載のソレノイドを用いるロック部品。
【請求項１１】
前記巻き線への電流の付与の繰り返しにより、前記突出部材を、前記収容状態および前記突出状態のいずれかに切り替えることが可能である、請求項１０記載のソレノイドを用いるロック部品。
【請求項１２】
前記突出部材は、電子鍵のロック機構、電子機器のロック機構、電子機器のスイッチ機構、輸送機器のロック機構、輸送機器のスイッチ機構、産業機器のロック機構および産業機器のスイッチ機構の少なくとも一つに用いられる、請求項１から１１のいずれか記載のソレノイドを用いるロック部品。
【発明の詳細な説明】
【技術分野】
【０００１】
本発明は、常時通電を必要としないソレノイドを用いたロック部品に関する。
【背景技術】
【０００２】
ドア、棚、クロゼット、車、金庫、ビルなどの出入り口など、セキュリティや安全の面から開閉に際して鍵を掛ける必要のある場所が多数ある。これらの鍵の開け閉めによって、開閉が実現されるドアなど（以下、総称して「開閉部」という）は、それぞれの特徴に適した鍵を必要とする。例えば、セキュリティ要求度の高い開閉部では、専用かつ偽造されにくい鍵が使用される。あるいは、セキュリティ要求度よりも利便性（頻繁に開閉される開閉部など）が要求される開閉部では、偽造されにくいことはもちろんであるが、多くの使用者に共通に用いられる鍵が用いられることが適当である。
【０００３】
このようなロック機構やロック構造においては、ロックを実現するための嵌合を生じさせるロック部品が使用される。
【０００４】
いずれにしても、セキュリティや安全面から、鍵を用いる必要のある開閉部が様々な場所に存在する。
【０００５】
この鍵は、開閉部そのものを閉じる（すなわちロックする）、あるいは開閉部そのものを解除する（すなわちロックを解除する）ロック部品と、このロック部品のロックと解除を行う鍵要素とを、備える。
【０００６】
ロック部品は、開閉部の開閉領域に設けられる。すなわち、ドアであれば開閉するドアの端部と壁（基部）との端部同士が対向する部分の少なくとも一方に設けられる。棚、クロゼット、車などもそれぞれの引き出しやドアなどの端部とこれに対向する基部の少なくとも一方に設けられる。ロック部品は、これら対向するドアと基部とを接続嵌合することで、開閉部をロックする。逆に接続嵌合を解除することで、開閉部のロックを解除する。
【０００７】
このロック部品をロックする場合に、鍵要素がロック部品を動作させる。あるいはロック部品のロックを解除する場合に、鍵要素がロック部品を動作させる。この鍵要素とロック部品とのセットによって、ロック部品のロックと解除が実現される。
【０００８】
また、ロック部品は、ドアなどの開閉が行われる開閉部だけでなく、機械、電子機器、輸送機器、工場設備機器などの様々な電気・機械動作に基づく機器の動作スイッチとして用いられることも多い。
【０００９】
例えば、これらの機器は、ある特定の動作を開始するに当たって、動作スイッチを入れられることが必要な場合がある。動作スイッチは、例えばある電源接点を接続するための突出部材を電源接点に押し当てたり、ある機構部同士を接続させるために、突出部材を機構部に押し当てたりする。逆に、動作スイッチの解除や機構部同士の解除においては、この突出部材の押し当てが解除されればよい。
【００１０】
この突出部材の突出や戻りが、ドアなどの開閉部のロック機能の実現だけに留まらず、様々な機器の動作切り替えに用いられる。
【００１１】
さらには、携帯端末などの動作解除機能を実現するのに、やはりロック部品が用いられることがある。
【００１２】
鍵要素と共に用いられて、開閉の切り替えや動作の実現や解除を行うロック部品は、このように、様々な場所に用いられる。
【００１３】
加えて、開閉部は、一つの建物やキャビネットに多数用いられることも多い。あるいは、電子機器、機械機器、工場設備機器などにおいても、多数の動作スイッチや機構接続部材が用いられることが多い。
【００１４】
言い換えれば、開閉部に用いられる鍵や、動作スイッチなどに用いられる鍵は、ロック部品を含んでおり、ロック部品は、様々な場所に様々な態様で用いられる。すなわち、ロック部品は、日常生活から産業活動に至るまで、多くの場所で多くの数が用いられている。
【００１５】
ここで、鍵要素と共に使われるロック部品、すなわち鍵は、複雑なセキュリティや安全性を実現するために、複雑な形状や機能を有することも多い。しかし、実際のロック機能の実現においては、突出部材が突出して接続嵌合することでロックが実現され、突出部材が戻ることでロックが解除されることが簡易かつ確実である。スイッチ動作の実現においても、突出部材が突出して対応部品と接続されたり、対応部品を押し出したりすることで、スイッチ動作の実現が簡易且つ確実である。
【００１６】
このように、様々な開閉部や機器に用いられるロック部品は、突出と戻りとの両方が切り替え可能な突出部材を備えた構造を有していることが求められる。加えて、開閉部や機器の一部に装着されやすいように、小型であり装着容易な構造であることが求められる。
【００１７】
このような突出部材の突出や戻しを実現するには、いわゆる機械的嵌合によって鍵要素をロック部品にはめ込み、回転動作や回動動作を用いることが行われる。いわゆる住居や棚の鍵にあるように、鍵穴に鍵要素が差し込まれて回転させられ、この回転によって、ロック部品の突出部が突出したり戻ったりする。
【００１８】
しかし、このような機械部品による機械的嵌合動作は、作業者が常に手作業で行う必要があるという不便がある。特に、多数の開閉部を一度に操作したり、多くのスイッチ部材を有する機器のそれぞれに、鍵要素を挿入して機械的動作を人的に行ったりすることは、現実的な処理ではない。
【００１９】
また、機械部品による機械的嵌合動作では、偽造された鍵によってロックが解除された後で、開閉部が空けられたままとなってしまう問題もある。これはセキュリティでの問題がある。
【００２０】
このような、個々のロック部品の動作の確実化、複数のロック部品の集中的かつ並列的な動作制御、およびセキュリティの確保の面から、ソレノイドがロック部品に用いられることが検討されている。ソレノイドは、電磁誘導の磁力によって、心材であるプランジャーを突出させたり引き戻したりできる。このプランジャーの突出や引き戻しを利用して、ロック部品の突出部の突出や戻しを実現することが検討される。
【００２１】
このような状況で、ソレノイドを利用したロック部品の技術が提案されている（例えば、特許文献１、２参照）。
【先行技術文献】
【特許文献】
【００２２】
【特許文献１】特開２００５−０９００４９号公報
【特許文献２】特開２００３−１６１０６５号公報
【発明の概要】
【発明が解決しようとする課題】
【００２３】
特許文献１は、電子鍵であって、電子鍵のロック部品となる部分の押出や引き戻しを、ソレノイドを用いて実現する。すなわち、ソレノイドは、ケーシングに巻き付けられたコイルに通電されることで電磁力が発生する。この電磁力によって、ケーシングに収容されているプランジャーが突出したり戻ったりできる。
【００２４】
このプランジャーの突出や引き戻しを、電子鍵のロックの実現やロックの解除に応用する技術を、特許文献１は、提案している。
【００２５】
しかしながら、特許文献１は、突出部材を突出させている期間もしくは突出部材を引き戻している期間は、プランジャーが突出か引き戻しのいずれかの動作を維持している必要がある。プランジャーが突出か引き戻しのいずれかの動作を維持するためには、常にコイルに通電している必要がある。通電を維持している間においてのみ、電磁力が発生するので、プランジャーは突出もしくは引き戻しのいずれかの動作を維持できるからである。
【００２６】
しかしながら、コイルへの通電を長時間維持することは、消費電力が大きくなってしまう問題がある。開閉部や機器において多数のロック部品が使用される場合には、個々のコイルへの通電時間が長くなることは、全体として大きな消費電力となってしまう。
【００２７】
また、消費電力が大きくなれば、発熱の問題も生じる。発熱が生じれば、開閉部や機器への負担も生じる。あるいは、停電や電力供給の不安定によって、コイルへの通電が不十分となってしまうと、プランジャーの突出や引き戻しができなくなってしまい、例えば不測にロックが解除されてしまう問題も生じる。これは当然にセキュリティでの問題となる。もちろん、機器のスイッチ機構に用いられている場合には、機器のスイッチ機構が解除されたり逆に不要に作動されたりして、機器の誤動作にも繋がる問題がある。
【００２８】
これを防止するために、コイルへの通電を確実かつ常時行う場合には、回路機構や電源部の信頼性を高める必要があり、回路や機器全体での設計・製造負担が大きくなる問題がある。
【００２９】
特許文献２は、操作キイ部から電源供給しシリンダー部の電気回路を簡略化した。又、シリンダー内部に対極した２つの磁気回路を設け片方は永久磁石もう一方は電磁石を使い永久磁石の吸引でロックを掛け、ロックを外す場合打電磁石で反発磁界を作り外す機構で、ロックの安全性を図った。又管理面で簡略化するために１個の操作キイで複数の機器又は、部屋、家屋に於ける鍵を操作できるようにする。キイ操作部には通信する端子があり、外部機器と通信接続し管理する。２つのＩＤ番号での開錠をする、又開錠作業の連続性を不可能にし、鍵システムの安全性を保つ工夫をする技術を開示する。
【００３０】
特許文献２は、ソレノイドのコイルへの通電で、プランジャーの突出や引き戻しを実現する。コイルへの通電による突出ないしは引き戻しを実現した後では、永久磁石で、そのプランジャーの突出や引き戻し状態を維持する。この永久磁石の働きによって、コイルへの常時通電を削減することができる。例えば、ある方向への電流がコイルに通電されると、プランジャーはケーシングに戻って、ロック部品のロック機能が解除される。解除された後で、コイルへの通電が解除されても、永久磁石の磁力により、プランジャーがケーシングに戻ったままの状態が維持される。
【００３１】
逆に、コイルへの通電の正負方向を逆にすることで、コイルから発生する電磁力の方向が逆になる。この逆になることで、プランジャーの動作方向も逆になる。例えば、プランジャーは、ケーシングから外に突出してロック部品としてのロック機能が実現される。このときも、コイルへの通電が解除されても、永久磁石の磁力によって、プランジャーは、ケーシングから突出したままとなる。この突出の維持により、ロック機能が維持されたままとなる。
【００３２】
しかしながら、特許文献２に代表されるようなソレノイド（電磁石）と永久磁石とを混合して用いるロック部品では、プランジャーの突出と引き戻し（突出部材の突出と引き戻し）の切り替えにおいては、通電の正負（＋、−）方向を切り替える必要があるとの不便がある。手作業でなければ、切り替え部材を用いる必要があったり、電源側のスイッチを複雑化して対応する必要があったりする。
【００３３】
これでは、ロック部品全体の構成が複雑となり大型化する。もちろん高コストとなる問題もある。加えて、回路が複雑になれば、故障や不具合の原因となり、ロック部品という、極めて高く長期間の信頼性を必要とする部材にとっては好ましくない問題である。
【００３４】
さらには、永久磁石とコイルによる電磁石の磁力とのバランスによって、プランジャーの突出もしくは引き戻しを実現しつつ維持する必要がある。言い換えれば、永久磁石とコイルによる電磁石の磁力をほぼ同一にする必要がある。コイルを始めとした電磁力を発生する回路の設計や製造が非常にシビアとなり、実際の実現には大きな困難を伴う問題がある。
【００３５】
あるいは、動作環境（温度やその他）によっても、コイルによる電磁力は変化しうる。この電磁力の変化によっては、コイルによる電磁力と永久磁石による磁力との大きさのバランスが崩れてしまう。バランスが崩れてしまえば、当然ながら、ソレノイドと永久磁石の磁力の組み合わせによるプランジャーの動作制御が困難となってしまう問題がある。
【００３６】
プランジャーの動作制御が不十分であれば、当然にロック部品としての信頼性が損なわれてしまう問題がある。一つの開閉部や機器に多数のロック部品が用いられて、一つの電源で制御される場合には、電力降下などの問題も加わって、よりその制御が困難となってしまう。こうなると、一つの開閉部や機器における複数のロック部品のいずれかが誤動作を生じさせてしまい、機器としての信頼性を下げてしまうことにも繋がる問題がある。
【００３７】
機器としては、根本的な機能を実現する部分での開発や製造に力が入れられているのが当然であり、開閉やスイッチ動作などの付随的な機能での不具合は、決して受け入れられるものではない。
【００３８】
以上のように、従来技術には様々な問題があった。
【００３９】
本発明は、これら課題に鑑み、省電力であると共に作業手順への不便が少なく、簡便な構成で高い信頼性を実現できるソレノイドを用いるロック部品を提供することを目的とする。
【課題を解決するための手段】
【００４０】
上記課題に鑑み、本発明のソレノイドを用いるロック部品は、内部に貫通空間を有する筒状の筐体と、
貫通空間の一部に抜き差し可能に収容されるプランジャーと、
筐体の一部であって、プランジャーと部分的もしくは全体的に重複する領域に巻かれる導電性の巻き線と、
プランジャーに直接もしくは間接に接続する接続部材と、
接続部材の前後動作によって回転して、貫通空間での位置を変化・固定可能な回転部材と、
回転部材の位置変化に合わせて、貫通空間から突出もしくは貫通空間への収容が可能な突出部材と、を備える。
【発明の効果】
【００４１】
本発明のソレノイドを用いるロック部品は、永久磁石を用いることがなく、機械部品とソレノイドのみで構成できる。この結果、全体構造が簡易となり、製造の容易性はもちろん、さまざまな開閉部や機器に装着も容易である。
【００４２】
加えて、ロック部品のロック機能の実現や解除において必要となる通電は、正負方向が単一であるので、通電に必要となる電流の付与や回路を単純化できるメリットがある。
【００４３】
また、永久磁石を用いることがないので、ソレノイドのコイルによる電磁石の電磁力と永久磁石による磁力とのバランスをとる必要がない。このバランスの必要性が低いことで、電磁力を生じさせるコイル、コイルへの回路、電源回路などの設計上の制約や困難性を減少できる。もちろん、全体としての回路設計や電気設計への負担が減少するので、ロック部品とその周辺設計が容易となり、さまざまな分野、特に従来は適用が困難であった分野にも、ソレノイドを用いるロック部品が適用可能となる。
【００４４】
また、本発明のソレノイドを用いるロック部品は、機械部品である鍵要素を個別に使用して作業する必要がないので、複数のロック部品が装着されている場合に、集中的かつ並列的に、これらの複数のロック部品をコントロールすることも可能である。
【００４５】
もちろん、ロック機能の実現もしくは解除の維持のために通電を維持する必要がないので、消費電力の削減や温度上昇の防止との効果も生じる。
【図面の簡単な説明】
【００４６】
【図１】参考技術におけるソレノイドを複合したロック部品の側面図である。
【図２】参考技術におけるロック部品の側面図である。
【図３】図１の内部の導電コイルが巻きまわされている状態をより明確にした側面図である。
【図４】図２の内部の導電コイルが巻きまわされている状態をより明確にした側面図である。
【図５】本発明の実施の形態におけるソレノイドを用いるロック部品の側面図である。
【図６】本発明の実施の形態におけるロック部品の側面図である。
【図７】本発明の実施の形態におけるロック部品の動作説明図である。
【図８】本発明の実施の形態における突出状態を示すロック部品の側面図である。
【発明を実施するための形態】
【００４７】
本発明の第１の発明に係るソレノイドを用いるロック部品は、内部に貫通空間を有する筒状の筐体と、
貫通空間の一部に抜き差し可能に収容されるプランジャーと、
筐体の一部であって、プランジャーと部分的もしくは全体的に重複する領域に巻かれる導電性の巻き線と、
プランジャーに直接もしくは間接に接続する接続部材と、
接続部材の前後動作によって回転して、貫通空間での位置を変化・固定可能な回転部材と、
回転部材の位置変化に合わせて、貫通空間から突出もしくは貫通空間への収容が可能な突出部材と、を備える。
【００４８】
この構成により、ソレノイドを用いるロック部品は、永久磁石を不要として、ロック機構のロック機能と解除を実現できる。
【００４９】
本発明の第２の発明に係るソレノイドを用いるロック部品では、第１の発明に加えて、貫通空間は、第１端部と第２端部を有し、プランジャーは、第１端部側に収容され、突出部材は、第２端部側に収容される。
【００５０】
この構成により、突出部材は、プランジャーと対応する位置関係で、ロック部品のロック機能を実現できる。
【００５１】
本発明の第３の発明に係るソレノイドを用いるロック部品では、第２の発明に加えて、突出部材が貫通空間に収容されている状態（以下、「収容状態」という）で巻き線に電流が付与されると、巻き線が発生する磁界によって、プランジャーは、第１端部から第２端部に向けた第１方向移動を行う。
【００５２】
この構成により、プランジャーは、接続部材および回転部材を第２端部側に押し出すことができる。
【００５３】
本発明の第４の発明に係るソレノイドを用いるロック部品では、第３の発明に加えて、プランジャーの第１方向移動によって、接続部材は、回転部材を第２端部側に移動させた突出位置に固定し、回転部材は、突出部材を、第２端部から外部に突出させる。
【００５４】
この構成により、回転部材の突出位置での固定により、突出部材が突出し、ロック機能を実現したり、押圧機能を実現したりできる。
【００５５】
本発明の第５の発明に係るソレノイドを用いるロック部品では、第１から第４のいずれかの発明に加えて、突出部材の外周に弾性体が設けられ、弾性体は、回転部材の突出位置を固定する。
【００５６】
この構成により、弾性体が、突出部材の突出を回転部材と共に固定し、弾性体は、回転部材の引き戻しを補助する。
【００５７】
本発明の第６の発明に係るソレノイドを用いるロック部品では、第３から第５のいずれかの発明に加えて、回転部材は、貫通空間の貫通方向に沿った複数の溝を有しており、接続部材は、第１方向移動によって複数の溝のいずれかに嵌合されて、第１方向移動した接続部材は、回転部材を突出位置で固定する。
【００５８】
この構成により、プランジャーの第１方向移動で、回転部材が突出位置で固定できる。結果として、電流の付与が終了しても、回転部材および突出部材は突出状態で維持される。
【００５９】
本発明の第７の発明に係るソレノイドを用いるロック部品では、第４から第６のいずれかの発明に加えて、突出部材が貫通空間から外部に突出している状態（以下、「突出状態」という）である場合に、巻き線に電流が付与されると、プランジャーは、第１方向移動に移動し、プランジャーは、接続部材の、回転部材の溝からの嵌合を、解除する。
【００６０】
この構成により、回転部材は初期位置に戻る。
【００６１】
本発明の第８の発明に係るソレノイドを用いるロック部品では、第７の発明に加えて、接続部材が、回転部材の溝との嵌合を解除すると、回転部材は、突出位置から、突出していない初期位置に戻る。
【００６２】
この構成により、初期位置での位置づけが維持される。
【００６３】
本発明の第９の発明に係るソレノイドを用いるロック部品では、第８の発明にくわえて、回転部材が初期位置に戻ると、突出部材は、貫通空間に収容される。
【００６４】
この構成により、突出部材が収容状態となって、電流停止後も維持される。
【００６５】
本発明の第１０の発明に係るソレノイドを用いるロック部品では、第７から第９のいずれかの発明に加えて、突出状態および収容状態である場合には、相互の状態変化を生じさせる以外においては、巻き線は、電流の付与を必要としない。
【００６６】
この構成により、ロック部品は、ロック機能を実現するための消費電力を最小限に抑えることができる。
【００６７】
本発明の第１１の発明に係るソレノイドを用いるロック部品では、第１０の発明に加えて、巻き線への電流の付与の繰り返しにより、突出部材を、収容状態および突出状態のいずれかに切り替えることが可能である。
【００６８】
この構成により、プランジャーの単一方向への移動の繰り返しだけで、突出部材の収容状態と突出状態とを切り替えることができる。
【００６９】
以下、図面を参照しながら、本発明の実施の形態を説明する。
【００７０】
（実施の形態）
【００７１】
（参考技術）
まず、従来技術で特許文献２を用いて説明した永久磁石とソレノイドを複合したロック部品を、参考技術として説明する。図１は、参考技術におけるソレノイドを複合したロック部品の側面図である。
【００７２】
ソレノイドを複合したロック部品（以下、「ロック部品」という）１００は、筐体１０１を備える。この筐体１０１内部に必要な要素を備えている。筐体１０１は、内部に収容部１０５を有しており、この収容部１０５は、プランジャー１０２を収容可能である。収容可能であると共に、収容部１０５は、プランジャー１０２を突出させることもできる。すなわち、プランジャー１０２は、磁力の働きによって、収容部１０５から突出したり収容部１０５に戻って収容されたりすることができる。
【００７３】
筐体１０１内部は、永久磁石領域１１０と、電磁石領域１２０とを備えている。ロック部品１００は、永久磁石領域１１０での永久磁石１１１による永久磁力と、電磁石領域１２０での導電コイル１２１による電磁力との２つの磁力を活用する。
【００７４】
永久磁石領域１１０は、永久磁石１１１を備えており、永久磁石１１１は、収容部１０５の周囲に設けられている。このように永久磁石１１１が設けられることで、永久磁石１１１は、永久磁力をプランジャー１０２に付与できる。
【００７５】
同様に、電磁石領域１２０は、導電コイル１２１と終端１２２を備えており、導電コイル１２１に通電すると、導電コイル１２１は、磁界を発生させて電磁力を生じさせる。この電磁力が、プランジャー１０２に付与される。
【００７６】
ロック部品１００は、導電コイル１２１に電流を付与する第１配線１３１と第２配線１３２を備えている。第１配線１３１および第２配線１３２は、電源に接続されて、電源からの電力供給によって電流を導電コイル１２１に付与できる。第１配線１３１および第２配線１３２のそれぞれは、電源の＋端子および−端子のいずれかに（切り替え可能で）接続される。この接続によって、電源からの電力が第１配線１３１および第２配線１３２に供給される。
【００７７】
あるいは、接続における＋端子と−端子の切り替えによって、導電コイル１２１に流れる電流の向きが変わる。この電流の向きの変化によって、磁界の方向が変化して、電磁石領域１２０が生じさせる電磁力の方向が変化する。この電磁力の向きの変化によって、プランジャー１０２は、収容部１０５から突出したり、収容部１０５に収容されたりする。
【００７８】
なお、図１では、プランジャー１０２が突出している状態が示されている。例えば、第１配線１３１に＋端子、第２配線１３２に−端子が接続されて電力が供給されているとする。このときには、導電コイル１２１に第１方向の磁界が発生する。この第１方向の磁界は、プランジャー１０２を突出させる方向に磁力を付与する。
【００７９】
このような第１配線１３１と第２配線１３２の端子接続によって、ロック部品１００は、プランジャー１０２を突出させる。例えば、プランジャー１０２がロック機構の接続嵌合を実現する。すなわち、ロック部品１００は、ロック機構でのロックを実現する。
【００８０】
図２は、参考技術におけるロック部品の側面図である。図２も図１と同様に内部が透視できる状態で示されている。図２は、プランジャー１０２が収容部１０５に収容された状態を示している。第１配線１３１に−端子、第２配線１３２に＋端子を接続するように、接続方向を逆にする。この逆にすることによって、磁界の方向が図１とは逆になる。
【００８１】
この結果、電磁石領域１２０による電磁力はプランジャー１０２を引き戻す方向に力を付与する。この付与によって、プランジャー１０２は、収容部１０５に収容される。図２は、このプランジャー１０２が収容部１０５に収容された状態を示している。
【００８２】
このように、参考技術のロック部品は、まず第１配線１３１と第２配線１３２の電源との＋端子と−端子との接続を入れ替えることを必要とする。この入れ替えがなければ、プランジャー１０２の突出や収容の切り替えができないからである。
【００８３】
図３は、図１の内部の導電コイルが巻きまわされている状態をより明確にした側面図である。収容部１０５の周囲であって電磁石領域１２０において、導電コイル１２１が巻かれている。この導電コイル１２１によって、電磁力が生じる。
【００８４】
図４は、図２の内部の導電コイルが巻きまわされている状態をより明確にした側面図である。図３と同様の図面である。図４は、図２と同様に、プランジャー１０２が収容部１０５に引き戻されて収容されている状態を示している。
【００８５】
ここで、図２、図４のように、導電コイル１２１の発する電磁力によって、プランジャー１０２が引き戻されると、収容部１０５がプランジャー１０２を収容した状態となる。第１配線１３１および第２配線１３２に電流が付与され続けていれば、このプランジャー１０２の収容状態は維持される。しかし、消費電力の関係から、電流付与の維持を行うことは好ましくない。
【００８６】
このため、図２、図４の状態となってプランジャー１０２が収容された後では、第１配線１３１および第２配線１３２への電流供給が停止される。この停止状態となると電磁石領域１２０での電磁力がなくなるので、プランジャー１０２が収容された状態を維持できなくなる可能性がある。これに対して、永久磁石１１１が備わっていることで、永久磁石の磁力によって、プランジャー１０２の収容状態が維持される。
【００８７】
参考技術におけるロック部品１００は、このような永久磁石の力によって、収容状態を維持することができる。しかしながら、２つ目の問題として、導電コイル１２１による電磁力を用いてプランジャー１０２を突出させる際には、永久磁石１１１の永久磁力と、電磁力とのバランスがとれている必要がある。バランスが取れていないと、電磁力が発生しても、プランジャー１０２が永久磁力の影響によって、突出できないからである。逆にプランジャーを収容状態として維持する場合にも、永久磁石１１１の磁力と導電コイル１２１による電磁力とのバランスが適切にされていることが必要である。
【００８８】
ここでのバランスは、永久磁石１１１での磁力と導電コイル１２１での磁力とが、そのスカラー量で同一である必要がある。スカラー量で同一であることで、突出させる場合でも、収容する場合でも、永久磁石１１１での影響によって、電磁力が十分な動作を行わせることができない問題が解決できるからである。
【００８９】
しかしながら、このスカラー量を略同一にすることは極めて難しい。導電コイル１２１の太さ、巻き数、抵抗値、巻き方など製造上の誤差によって、さまざまに導電コイル１２１による電磁力の大きさが変わりうるからである。
【００９０】
以上のように、参考技術のロック部品１００は、２つの大きな問題を有していた。
【００９１】
（全体概要）
まず、実施の形態におけるソレノイドを用いるロック部品の全体概要を説明する。
【００９２】
ソレノイドは、一般に知られているように、ケーシングを有しており、このケーシング内部に主に鉄の金属性プランジャーが抜き差し可能に収容されている。ケーシングの周囲には、銅線やエナメル線などの銅電線が巻き線（コイル）として巻かれている。この巻き線の端部は、通電のための電源（あるいは電源に設けられるスイッチ）と接続されている。
【００９３】
巻き線に電流が付与されると（通電されると）、巻き線の周囲に磁界が発生する。この磁界によって磁力が発生して、この磁力が金属製のプランジャーを引き戻したり、あるいは突出させたりする。ソレノイドそのものは、このような巻き線への通電による磁界によってプランジャーを突出させたり引き戻したりする機能を発揮する。
【００９４】
図５は、本発明の実施の形態におけるソレノイドを用いるロック部品の側面図である。なお、ソレノイドを用いるロック部品を、以下においてロック部品と略す。
【００９５】
ロック部品１は、筐体２、貫通空間３、プランジャー４、巻き線５、接続部材６、回転部材７、突出部材８、弾性体９を備える。
【００９６】
筐体２は、ロック部品１の外形を構成する。筐体２は、樹脂、金属、合金など様々な素材で形成されればよいが、内部の巻き線５による磁界発生を抑制しない素材が選択されることが適当である。また、筐体２は、ロック部品１の外形を形成するので、ロック部品１が用いられる場所や態様に応じた形状を有していることが適当である。
【００９７】
図５では、筐体２は、円筒状である。ロック部品１は、ロック機構に用いられるので、壁やドアなどに埋め込まれたり、装着されたりすることが多い。あるいは、電子機器や輸送機器の内部に実装されることが多い。このため、円筒状であることで、ロック部品１が装着、実装されやすいからである。
【００９８】
あるいは、円筒状以外に、筐体２は、角形の筒状であってもよいし、多角形の断面形状を有する筒状であってもよい。
【００９９】
筐体２は、内部に貫通空間３を有する。貫通空間３は、プランジャー４、接続部材６、回転部材７、突出部材８および弾性体９を、収容できる。もちろん、これらの要素のすべてを収容できるというのは、完全な収容を意味するだけでなく、一部を収容していなかったり、一部が貫通空間３の外部に出ていたりする状態をも含む。ここでの一部は、要素のいずれかを意味することもあるし、ある要素の一部分を意味することもある。
【０１００】
貫通空間３は、磁力で前後動作する（突出したり収容されたりする）プランジャー４を収容している収容部でもある。このため、プランジャー４は、貫通空間３の一部に抜き差し可能に収容されている。図５に示されるように、プランジャー４は、貫通空間３における後端部分（図５での下側）に収容される。後述するように、プランジャー４は、貫通空間３において、後端から最終的に先端部分に収容されている突出部材８を押し出すからである。
【０１０１】
貫通空間３は、円筒状の空間であったり、角形断面の筒状の空間であったりすればよい。製造上の容易性からは、筐体２と同様の形状（筐体２が円筒状であれば、貫通空間３は、円筒状の空間）であることが適当である。もちろん、異なる形状であってもよい。また、貫通空間３は、収容するプランジャー４や突出部材８などの形状に合わせた、形状を有していてもよい。
【０１０２】
プランジャー４は、巻き線５からの磁界を受けて前後動作を行うので、磁性体で形成されている。磁性体であることで、磁界を受けて、磁力による前後動作を行えるからである。上述の通り、プランジャー４は、貫通空間３の後端部分に収容されているので、この後端部分で前後動作して、プランジャー４の先端にある接続部材６を前後させることができる。
【０１０３】
巻き線５は、プランジャー４に磁界を与えるために、筐体２の一部であって、貫通空間３の一部において、プランジャー４の部分もしくは全部と重複する領域にまかれる導電線である。エナメル線、銅線などが用いられる。
【０１０４】
たとえば、貫通空間３の外側であって筐体２との間には空隙が設けられる。この空隙の空間を利用して、巻き線５がプランジャー４と重複する領域にまかれる。例えば、貫通空間３を形成するケースが設けられ、このケースの外周に巻き線５が巻かれることで、巻き線５が実現されてもよい。
【０１０５】
図５には示されていないが、巻き線５は、電流の付与を受けるので、巻き線５は電源と接続されている。すなわち、巻き線５の２つの端部は、それぞれ電源の＋端子および−端子とに接続されている。ここで、詳細を後述するが、巻き線５の端部のそれぞれは、＋端子と−端子とに固定して接続されたままでよい。参考技術で説明したロック部品１００のように、第１配線１３１と第２配線１３２とが、＋端子と−端子を入れ替えつつ電源に接続される必要はない。
【０１０６】
この点で、実施の形態のロック部品１は、参考技術の問題１を解決している。
【０１０７】
接続部材６は、プランジャー４に直接もしくは間接に接続する。図５では、プランジャー４の先端に接続部材６が接続している。すなわち、接続部材６は、プランジャー４によって押し出されたり引き戻されたりする接続状態を有している。
【０１０８】
接続部材６は、回転部材７に、プランジャー４の押し出しを連結する。言い換えれば、プランジャー４の押し出し動作を、接続部材６は、回転部材７に伝導する役割を有する。
【０１０９】
なお、接続部材６は、プランジャー４と別体として把握される要素ではなく、プランジャー４の一部であってもよい。要は、プランジャー４の先端が、回転部材７に押し出し動作を伝導できればよい。このため、接続部材６とプランジャー４とは、一体の要素として把握されてもよく、接続部材６がプランジャー４に含まれてもよい。
【０１１０】
回転部材７は、接続部材６の前後動作によって回転して、貫通空間３での位置を変化・固定可能である。回転部材７は、後述するように接続部材６からの押し出しを受けると、所定方向に回転する。所定方向に回転したところで、回転を止めて、位置が固定される。このとき、回転部材７は、溝を有しており、この溝が、接続部材６と嵌合することで、回転部材７の貫通空間３の内部での位置を変えることができる。
【０１１１】
ここでの位置とは、貫通空間３での延伸方向（後端から先端に向けての方向であり、プランジャー４の前後動作方向であり突出部材８の突出方向である）の位置である。すなわち、回転部材７は、接続部材６から押し出しを受けると、その位置を先端側に移動させて、その先端側での位置で固定される。
【０１１２】
次に、再び接続部材６からの押し出しを受けると、回転部材７は、回転する。この回転によって、位置を先端側から後端側に戻して、元の初期状態の位置に戻る。再び、接続部材６からの押し出しを受けると、回転部材７は再度回転して、その位置を先端側に移動させて固定する。
【０１１３】
このように、回転部材７は、接続部材６からの押し出しを受けることで、回転部材７は、初期状態の初期位置と、貫通空間３の先端側に移動した突出位置と、を変化させつつ固定できる。このとき、回転部材７は、接続部材６からの押し出しを受ける交互の度ごとに、初期位置と突出位置とを変化させることができる。
【０１１４】
突出部材８は、回転部材７の位置変化に合わせて、貫通空間３から突出もしくは収容される。例えば、回転部材７が回転して先端側の突出位置に固定されると、突出部材８は、この回転部材７に押し出される形で突出する。回転部材７は、この突出位置で固定された状態であるので、突出部材８も突出状態を固定・維持できる。
【０１１５】
一方、回転部材７が回転して初期位置に戻ると、突出部材８は回転部材７の位置変化に基づいて、貫通空間３内部に戻る。すなわち、収容された状態となる。この収容状態も、回転部材７が初期位置で固定された状態であるので、突出部材８は、固定・維持できる。
【０１１６】
すなわち、突出部材８は、回転部材７の位置変化に応じて、突出および収容を切り替え可能である。
【０１１７】
突出部材８は、ロック部品１がロック機構に用いられる場合の、ロック機能を実現する接続嵌合の部材となる。例えば、壁とドアとの間を接続嵌合したり、引き出しの留め具の役割を果たしたりする。あるいは、突出部材８は、ロック部品１が電子機器や輸送機器に用いられる場合には、スイッチの作動・非作動を切り替える役割を果たす。
【０１１８】
このようにして、突出部材８が、突出したり収容されたりすることで、ロック部品１は、ロック機構やスイッチ機構などの様々な用途に適用できる。
【０１１９】
上述したように、突出部材８の突出と収容の切り替えは、回転部材７の回転による位置変化のみで実現される。この回転部材７は、同一方向に回転するだけで、初期位置と突出位置とを切り替えることができる。加えて、回転部材７の回転は、プランジャー４の押し出しを通じて実現される。しかも同一方向回転が、プランジャー４の押し出しで実現される。
【０１２０】
すなわち、突出部材８の突出と収容（引き戻し）とを切り替えるには、プランジャー４が突出を繰り返すだけでよい。プランジャー４が突出の向きを切り替える必要がないので、プランジャー４の突出方向を切り替えるための磁界方向の切り替えも不要である。すなわち、巻き線５の通電方向の切り替えも不要である。
【０１２１】
これらの結果、参考技術での問題１のような巻き線５と電源接続との端子切り替えを行う必要はない。同じ接続状態のまま、通電させれば、プランジャー４が突出して、接続部材６を介して回転部材７が突出位置に移動する。この突出位置に移動することで、突出部材８は、貫通空間３の先端（第２端部３２）から突出できる。このとき、回転部材７は、初期位置に固定された状態となるので、突出部材８の突出も固定された状態となる。
【０１２２】
この突出状態の固定は、回転部材７の機能に基づくので、参考技術のように永久磁石を必要としない。しかも、突出部材８の突出状態が維持される間は、回転部材７がこれを固定するので、巻き線５に電流が付与されている必要もない。このため、一度突出状態とすれば、電力供給は不要となる。プランジャー４は、巻き線５への通電がないので、突出状態を維持できず、フリーな状態となるが、突出部材８の突出には影響を与えない。
【０１２３】
さらに、巻き線５に通電されると、プランジャー４は再び磁力によって突出する。この突出によって回転部材７が回転して初期位置に戻る。初期位置に戻ると、回転部材７は、この初期位置で位置を固定する。このため、巻き線５への通電が解除されてプランジャー４がフリーとなっても、回転部材７は、初期位置で固定されたままである。
【０１２４】
この結果、突出部材８は、回転部材７に引き戻されて貫通空間３へ収容される。言い換えれば、第１端部３１側に、突出部材８は引き戻されて、収容される。
【０１２５】
このように、実施の形態におけるロック部品１は、永久磁石を必要としないで、突出状態あるいは収容状態を維持できるので、参考技術での問題２を解決できる。巻き線５による電磁力のスカラー量を厳密に調整して製造する必要がなくなるメリットもある。
【０１２６】
以上のように、実施の形態におけるロック部品１は、永久磁石を必要とせず、常時通電も不要で、同じ磁界方向でプランジャー４を突出させることを、必要間隔で実施することで、突出部材８の第２端部３２からの突出と貫通空間３への収容とを切り替えることができる。
【０１２７】
（動作詳細）
【０１２８】
次に、動作詳細を説明する。
【０１２９】
図６は、本発明の実施の形態におけるロック部品の側面図である。図６は、図５と同じく内部が透視状態で示されている。図５は、突出部材８が貫通空間３内部に収容されている状態を示している。これに対して、図６は、突出部材８が貫通空間３の第２端部３２から突出した状態を示している。
【０１３０】
（収容状態）
図５は、上述で説明した通り、突出部材８が貫通空間３に収容されている状態（以下、「収容状態」という）である。このときは、巻き線５には電流は付与されていない。このため、磁界は発生せずに、プランジャー４は、磁力による動作を行わない。プランジャー４が動作を行わないことで、貫通空間３に収容された突出部材８は、収容状態を維持する。
【０１３１】
図７（Ａ）は、この電流が付与される前の収容状態を示している。
【０１３２】
図７は、本発明の実施の形態におけるロック部品の動作説明図である。
【０１３３】
（電流付与）
この収容状態で、巻き線５に電流が付与される。図６には、第１端子９１と第２端子９２が示されている。第１端子９１と第２端子９２とは、巻き線５の端部であり、電源に接続される。ここで、参考技術と異なり、第１端子９１および第２端子９２は、電源の＋端子と−端子とに、固定されて接続される。第１端子９１と第２端子９２は、それぞれ＋端子と−端子との入れ替えの必要がない。
【０１３４】
巻き線５に電流が付与されると、巻き線５は、磁界を発生する。磁界は、プランジャー４を、第１端部３１から第２端部３２縫い向けた方向である第１方向に移動させる。
【０１３５】
すなわち、巻き線５への電流付与によって、プランジャー４は、第１方向移動を行う。これは、巻き線５への電流付与が行われるたびに同じ第１方向動作が行われる。電流の付与がなくなれば、磁界が消失して、プランジャー４は、フリー状態となる。プランジャー４は、電流が付与されるたびに、第１方向移動を行う。この第１方向移動によって、プランジャー４は、接続部材６を第１方向に押し出す。
【０１３６】
（回転部材の回転と移動）
プランジャー４は、第１方向移動を行って、接続部材６を押し出す。図７（Ｂ）に示されるような状態である。接続部材６が押し出されることで、回転部材７を回転させる。さらに、回転部材７も第１方向に押し出される。この結果回転部材７は、第２端部３２側に移動した突出位置に固定される。
【０１３７】
図７（Ｂ）では、回転部材７が、突出位置に移動した状態が示されている。この突出位置に回転部材７が到達することで、突出部材８もそのまま押し出される。図７（Ｂ）に示されるように、突出部材８は、第２端部３２から突出しており、貫通空間３から飛び出した状態を構成している。
【０１３８】
図７（Ｂ）では、巻き線５に電流が付与された状態であるので、プランジャー４の第１方向移動が維持された状態である。このため、回転部材７は突出位置に位置したままであり、この回転部材７の位置に応じて、突出部材８が突出した状態を維持している。
【０１３９】
また、突出部材８の外周に弾性体９が設けられる。弾性体９は、たとえば、図７に示されるようにバネが用いられる。図７（Ｂ）の突出位置での突出部材８の突出時には、弾性体９が縮まった状態となる。
【０１４０】
（電流の停止）
次に、巻き線５への電流の付与が停止される。消費電力を削減することを目的とするためである。
【０１４１】
巻き線５への電流が停止されると、磁界は停止して、プランジャー４の第１方向移動の固定状態は解除される。すなわち、プランジャー４は、フリー状態となる。
【０１４２】
ここで、回転部材７は、貫通空間３の貫通方向にそった複数の溝を有している。接続部材６は、第１方向移動によって、複数の溝のいずれかに嵌合される。この嵌合によって、回転部材７が突出位置に固定されたり、初期位置に固定されたりする。
【０１４３】
図７（Ｃ）に示されるように、回転部材７は、カムを備えている。上述の溝は、このカムと組み合わされる。これがすなわち、接続部材６と溝との嵌合と同様の構成と機能である。
【０１４４】
電流が停止されると、弾性体９の力で回転部材７が第１端部３１側に押し戻される方向の力を受ける。このとき、回転部材７は、同時に回転する。回転する際に、回転部材７は、カムの上を横滑りして、カムの凹みと嵌合する。このため、回転部材７の位置は突出位置のままで固定される。弾性体９で戻されても、接続部材６だけが第１端部３１側に戻るようになる。
【０１４５】
接続部材６が第１端部３１側に戻っても、回転部材７そのものは、突出位置に残ったままである。このため、回転部材７によってその位置を決められる突出部材８は、図７（Ｃ）に示されるように、第２端部３２から突出した状態を維持している。
【０１４６】
（次の通電）
電流が停止されている状態でも、図７（Ｃ）のように突出部材８が、第２端部３２から突出した状態を維持している。この突出した状態の維持によって、ロック部品１は、たとえば、ロック機構のロック状態を維持できる。
【０１４７】
次に、再び巻き線５に電流が付与される。図７（Ｄ）は、この巻き線５への電流の付与状態を示している。この再度の巻き線５への電流付与は、記述した通り、第１端子９１と第２端子９２での＋端子と−端子との入れ替えを必要としない。
【０１４８】
巻き線５に電流が付与されると、プランジャー４は再び第１方向移動を行う。この第１方向移動の際には、図７（Ｃ）のように、突出部材８は、第２端部３２から突出した状態である。この状態でプランジャー４が第１方向移動を行うと、接続部材６を第２端部３２側に押し出す。
【０１４９】
押し出されることで、接続部材６は、回転部材７を突出位置に固定するために嵌合している溝との嵌合を解除する。この嵌合の解除によって、回転部材７は再び回転すると共に、第１端部３１側の初期状態の位置である初期位置に戻る。このとき、弾性体９が、その弾性力によって、回転部材７の初期位置への押し戻しを促す。
【０１５０】
図７（Ｄ）は、回転部材７が、この初期位置に戻った状態を示している。すなわち、図７（Ｄ）で電流が巻き線５に付与されると、回転部材７が、初期位置に戻った状態となる。
【０１５１】
突出部材８は、回転部材７と接続されているので、初期位置に戻るのに合わせて、突出部材８も、第２端部３２から貫通空間３内部に収容される。すなわち、引き戻される。
【０１５２】
（電流の停止）
図７（Ｅ）は、図７（Ｄ）に続いて、巻き線５への電流の付与が停止された状態を示している。電流の付与が停止されると、図７（Ｃ）と同じく、プランジャー４は、フリー状態となる。このフリー状態となると、弾性体９によって、回転部材７は第１端部３１側に押し戻される力を受ける。
【０１５３】
図７（Ｅ）の場合には、図７（Ｃ）と異なり、回転部材７は、カムの溝にはまり（接続部材６が回転部材７の溝との嵌合を解除する）、回転部材７は、弾性体９からの力を受けることも合わせて、初期位置に戻る。すなわち、２回目の電流付与（プランジャー４の第１方向移動）によって、回転部材７は、突出位置から初期位置に戻る。
【０１５４】
（突出部材の収容）
回転部材７が初期位置に戻ると、回転部材７と接続している突出部材８は、第２端部３２からの突出を解除して、貫通空間３内部に収容される。すなわち、収容状態に戻る。図７（Ｅ）から図７（Ａ）の状態に戻る。
【０１５５】
次に、巻き線５に電流が付与されれば、図７（Ｂ）の動作を繰り返して、再び突出部材８が、第２端部３２から突出した状態となる。このように、電流を繰り返し付与して、プランジャー４を同じ方向である第１方向に移動させることを繰り返すだけで、ロック部品１は、突出部材８の突出と収容とを繰り返すことができる。
【０１５６】
ここで、上述したように、図７（Ｂ）、図７（Ｄ）以外においては、巻き線５に電流が付与される必要はない。すなわち、突出状態と収容状態の相互の状態変化を生じさせる以外においては、巻き線５は、電流の付与を必要としない。電流の付与がない状態でも、突出状態を維持、もしくは収容状態を維持できる。このため、プランジャー４の動作を生じさせるソレノイドの機能発揮のために必要となる消費電力を最小限に抑えることができる。
【０１５７】
たとえば、図８のように、プランジャー４がフリー状態であっても、突出部材８の突出状態は維持される。これは、図７（Ｃ）に示される状態と同じである。図８は、本発明の実施の形態における突出状態を示すロック部品の側面図である。
【０１５８】
以上のように、巻き線５への電流の付与の繰り返しにより、突出部材８を収容状態と突出状態とを繰り返し切り替えることができる。切り替え時のみ巻き線５に電流を付与すればよいので、消費電力を抑えることができる。
【０１５９】
説明した通り、参考技術のように永久磁石を必要としない。このため、参考技術において生じるような問題１、問題２を生じさせることがない。結果として、製造上の製造精度を局限化することが不要となり、製造コストを低下することもできる。製造コストにとどまらず、使用耐久性をあげることで、機器に組み込んだ後でのランニングコストをも下げることが可能となり、さまざまな機器への応用が容易となる。
【０１６０】
（ロック部品１の機器への適用）
実施の形態で説明したロック部品１は、さまざまな機器に適用可能である。
【０１６１】
一例として、実施の形態のロック部品１は、電子鍵のロック機構、電子機器のロック機構、電子機器のスイッチ機構、輸送機器のロック機構、輸送機器のスイッチ機構、産業機器のロック機構および産業機器のスイッチ機構の少なくとも一つに用いられる。
【０１６２】
これらの機器は、消費電力の削減および繰り返し使用による耐久性の高さを必要とする。このため実施の形態で説明したロック部品１であれば、消費電力は小さいことに加えて、永久磁石と電磁石との磁力バランスを必要としないことで、耐久性も高い。このため、繰り返し使用されても、ロック機能を損なうことが少なく、高い信頼性を維持できる。
【０１６３】
なお、実施の形態で説明されたソレノイドを用いるロック部品は、本発明の趣旨を説明する一例であり、本発明の趣旨を逸脱しない範囲での変形や改造を含む。
【符号の説明】
【０１６４】
１    ロック部品
２    筐体
３    貫通空間
４    プランジャー
５    巻き線
６    接続部材
７    回転部材
８    突出部材
９    弾性体
３１    第１端部
３２    第２端部
１００  ロック部品
【図１】
2016056531.tif 000003
【図２】
2016056531.tif 000004
【図３】
2016056531.tif 000005
【図４】
2016056531.tif 000006
【図５】
2016056531.tif 000007
【図６】
2016056531.tif 000008
【図７】
2016056531.tif 000009
【図８】
2016056531.tif 000010